(57)【要約】【課題】一般人が屋上等に容易に施工でき、屋上等のコンクリート面、斜面、さらには壁面等に設置して芝生、草花或いは樹木等による緑化を可能とし、これらの組合せによって多彩な屋上庭園等を簡単に施工することができる多目的緑化盤及び緑化方法を提供する。【解決手段】メッシュ状箱形に形成された本体２と蓋体３とを結合して成る方形ユニット４の内部に土壌７が充填され、本体２の平面部２ａにスリット１１又はメッシュ１２を有する所定数の植栽ポット１０が設けられると共に、蓋体３の平面部３ａがメッシュ状に形成され、植栽ポット側を表に向けた状態で夫々の植栽ポットに草花又は樹木を植え、また蓋体３の平面部３ａ側を表に向けた状態で該平面部３ａ上に芝生等の地被植物を植栽するようにした多目的緑化盤を平面、傾斜面または垂直面を成す設置面に配列して固定し、草花、樹木又は芝生等の地被植物を所望のレイアウトで配置する。【選択図】図２
2005176829.tif 000002
【特許請求の範囲】
【請求項１】
メッシュ状箱形に形成された本体と蓋体とを結合して成る方形ユニットの内部に土壌が充填され、前記本体の平面部にスリット又はメッシュを有する所定数の植栽ポットが設けられると共に、前記蓋体の平面部がメッシュ状に形成され、前記植栽ポット側を表に向けた状態で夫々の植栽ポットに草花又は樹木を植え、また前記蓋体の平面部側を表に向けた状態で該平面部上にて芝生等の地被植物を植栽するようにしたことを特徴とする多目的緑化盤。
【請求項２】
前記本体の平面部において植栽ポットを設けるべき箇所に切れ目を入れ、この切れ目に着脱式植栽ポットを挿入して固定状態にすることを特徴とする請求項１記載の多目的緑化盤。
【請求項３】
前記方形ユニットの本体と蓋体との周縁には複数の突起が形成されていることを特徴とする請求項1又は２記載の多目的緑化盤。
【請求項４】
前記方形ユニットに、軽石とココダストを主成分とする圧縮固形体を混合してなる培土を充填したことを特徴とする請求項１、２又は３記載の多目的緑化盤。
【請求項５】
メッシュ状箱形に形成された本体と蓋体とを結合して成る方形ユニットの内部に土壌が充填され、前記本体の平面部にスリット又はメッシュを有する所定数の植栽ポットが一体的に設けられるか、又は前記本体の平面部に形成された切れ目に着脱式植栽ポットが挿入して固定されると共に、前記蓋体の平面部がメッシュ状に形成されて成る多目的緑化盤を平面、傾斜面又は垂直面を成す設置面に配列して固定し、前記植栽ポット側を表に向けた状態で夫々の植栽ポットに草花又は樹木を植え、また前記蓋体の平面部側を表に向けた状態で該平面部上に地被植物を植栽することにより、これらの草花、樹木又は地被植物を所望のレイアウトで配置することを特徴とする多目的緑化盤による緑化方法。
【請求項６】
前記方形ユニットに、軽石とココダストを主成分とする圧縮固形体を混合してなる培土を充填することを特徴とする請求項５記載の多目的緑化盤による緑化方法。
【請求項７】
多数のスリットを形成した平面部と側面部とを有する箱形に形成された本体と蓋体とを結合して成る方形ユニットの内部に土壌が充填され、前記本体の平面部にスリット又はメッシュを有する所定数の植栽ポットが設けられ、該植栽ポット側を表に向けた状態で夫々の植栽ポットに草花又は樹木を植え、また前記蓋体の平面部側を表に向けた状態で該平面部上にて芝生等の地被植物を植栽するようにしたことを特徴とする多目的緑化盤。
【請求項８】
前記方形ユニットに、軽石とココダストを主成分とする圧縮固形体を混合してなる培土を充填することを特徴とする請求項７記載の多目的緑化盤。
【発明の詳細な説明】
【技術分野】
【０００１】
本発明は、屋上等のコンクリート面、斜面、さらには壁面等にも設置可能なユニット化された多目的緑化盤であって、草花や樹木、さらには芝生等の地被植物による緑化を可能とし、これらの組合せによって多彩な屋上庭園等を簡単に施工することができる多目的緑化盤及び緑化方法に関するものである。
【背景技術】
【０００２】
近年、建物の屋上やベランダ等のコンクリート面に対する緑化を推進することが行われている。このような屋上緑化は都市環境を改善し、省エネ、地球環境の改善にまで好影響を及ぼすものである。
【０００３】
このような建物の屋上緑化に関する従来の技術として特許文献１を掲げる。これは「植物の栽培用構造体及び植物栽培方法」と称された発明であって、図１８(a)に示すように、ゼオライト等の多孔質材料を用いて保水性を有する如く構成された植物栽培用構造体３１の表面に、芝生シート（根に土のついた植物）３４を設置することにより、植物の根を上記多孔質性材料の間に入り込ませて栽培するようにしたものである。
【０００４】
なお、図１８(b)は特許文献１の植物栽培用構造体３１とその下方のベース３２を示す断面図であり、四辺に立上り片３２aを有する貯水可能なプラスチックや金属容器等からなるベース３２の上部に多孔質材料としてのゼオライトを注入して高圧で成形固化することにより、植物栽培用構造体３１の裏側にベース３2が一体固化されてなるものである。
【０００５】
さらに、図１８(c)に示すものは、特許文献１の植物栽培用構造体３１の上面（表面）に複数の凹部３３を形成したもので、夫々の凹部３３に土と種とを入れて植物を栽培することができるようにしたものである。
【特許文献１】特開２００２−３２０４０８号公報（第１頁、図１、２、６）
【発明の開示】
【発明が解決しようとする課題】
【０００６】
ところで、上記の特許文献１の植栽構造は、ゼオライト等の多孔質材料に植物を根付かせるようにしたものであるため、芝生等の限定された植物しか植栽することができず、草花や樹木等を植栽し得るものではない。
【０００７】
また、屋上緑化を遂行するには、建築物への荷重の影響や施工コスト等の問題、風の強い日における培土の飛散の問題、乾燥下での水分補給や保水性等の問題、さらにはコンクリート面上における養分の確保等の問題がある。
【０００８】
さらに、屋上緑化をメンテナンスする際には、植物や土壌の撤去作業を必要とし、季節ごとの植え替えや配置換え等の際には、植物や土壌を移動したりするという面倒な作業が要求され、相応の技術と労力を有するものであり、造園の専門業者でない一般人が行なうのは困難であった。
【０００９】
本発明は、以上の事情に鑑みてなされたもので、造園の専門家でない一般人が屋上等に容易に施工でき、屋上等のコンクリート床、斜面、さらには壁面等に設置して、草花や樹木、さらには芝生や地被植物等による緑化を可能とし、これらの組合せによって多彩な屋上庭園等を簡単に施工することができる多目的緑化盤及び緑化方法を提供することを目的とする。
【課題を解決するための手段】
【００１０】
上記の目的を達成するために、本発明による請求項１の多目的緑化盤は、メッシュ状箱形に形成された本体と蓋体とを結合して成る方形ユニットの内部に土壌が充填され、前記本体の平面部にスリット又はメッシュを有する所定数の植栽ポットが設けられると共に、前記蓋体の平面部がメッシュ状に形成され、前記植栽ポット側を表に向けた状態で夫々の植栽ポットに草花又は樹木を植え、また前記蓋体の平面部側を表に向けた状態で該平面部上に芝生等の地被植物を植栽するようにしたことを特徴とする。
【００１１】
また、本発明の請求項２の多目的緑化盤は、請求項１において、前記本体の平面部において植栽ポットを設けるべき箇所に切れ目を入れ、この切れ目に着脱式植栽ポットを挿入して固定状態にすることを特徴とする。
【００１２】
また、本発明の請求項３の多目的緑化盤は、請求項1又は２において、前記方形ユニットの本体と蓋体との周縁には複数の突起が形成されていることを特徴とする。
【００１３】
また、本発明の請求項４の多目的緑化盤は、請求項1、２又は３において、前記方形ユニットに、軽石とココダストを主成分とする圧縮固形体を混合してなる培土を充填したことを特徴とする。
【００１４】
さらに、本発明の請求項５の多目的緑化盤による緑化方法は、メッシュ状箱形に形成された本体と蓋体とを結合して成る方形ユニットの内部に土壌が充填され、前記本体の平面部にスリット又はメッシュを有する所定数の植栽ポットが一体的に設けられるか、又は前記本体の平面部に形成された切れ目に着脱式植栽ポットが挿入して固定されると共に、前記蓋体の平面部がメッシュ状に形成されて成る多目的緑化盤を平面、傾斜面又は垂直面を成す設置面に配列して固定し、前記植栽ポット側を表に向けた状態で夫々の植栽ポットに草花又は樹木を植え、また前記蓋体の平面部側を表に向けた状態で該平面部上に地被植物を植栽することにより、これらの草花、樹木又は地被植物を所望のレイアウトで配置することを特徴とする。
【００１５】
また、本発明の請求項６の多目的緑化盤による緑化方法は、請求項５において、前記方形ユニットに、軽石とココダストを主成分とする圧縮固形体を混合してなる培土を充填することを特徴とする。
【００１６】
また、本発明の請求項７の多目的緑化盤は、多数のスリットを形成した平面部と側面部とを有する箱形に形成された本体と蓋体とを結合して成る方形ユニットの内部に土壌が充填され、前記本体の平面部にスリット又はメッシュを有する所定数の植栽ポットが設けられ、該植栽ポット側を表に向けた状態で夫々の植栽ポットに草花又は樹木を植え、また前記蓋体の平面部側を表に向けた状態で該平面部上にて芝生等の地被植物を植栽するようにしたことを特徴とする。
【００１７】
さらに、本発明の請求項８の多目的緑化盤は、請求項７において、前記方形ユニットに、軽石とココダストを主成分とする圧縮固形体を混合してなる培土を充填することを特徴とする。
【発明の効果】
【００１８】
本発明による多目的緑化盤は、メッシュ状箱形に形成された本体と蓋体とを結合して成る方形ユニットの内部に土壌が充填され、前記本体の平面部にスリット又はメッシュを有する所定数の植栽ポットが設けられると共に、前記蓋体の平面部がメッシュ状に形成されているため、植栽ポット側を表に向けた状態で夫々の植栽ポットに草花又は樹木を植えることができ、また蓋体の平面部側を表に向けた状態で該平面部上に芝生等の地被植物を植栽することができる。
【００１９】
上記のような本発明の多目的緑化盤によれば、メッシュ状に形成された本体と蓋体とを結合して成る方形ユニットの内部に土壌が充填されているため、この土壌はメッシュの目を介して外気と触れ合っているため、多量の酸素を供給することができ、また排水性も良好であり、地被植物から潅木類まで広範囲な種類の植物を植栽することができる。
【００２０】
従って、本発明の多目的緑化盤による緑化方法によれば、屋上等のコンクリート床、傾斜屋根、土手等の傾斜面さらには垂直壁面等に配設することによって、芝生等の被地植物、草花或いは樹木等による緑化を可能とし、これらの組合せによって多彩な屋上庭園等を施工することができる。
【００２１】
また、そのような施工の際に、本発明は、内部に土壌を有するユニット化された構造を有するため、園芸の専門家ではなく、一般人にも容易に取り扱うことが可能となり、簡易な園芸を楽しむことができる。なお、流通の際には、内部に土壌を充填した状態で販売したり、各植栽ポットに季節の草花や樹木を植え込んだ状態、或いは蓋体の平面部に植生マットを添付した状態で販売することも可能である。さらに、草花や樹木を植え込んだ多目的緑化盤ごとの取替えによって手軽且つ迅速に屋上庭園等の模様替えを行うことが可能となる。
【００２２】
さらに、本発明において、土壌は方形ユニットの内部に充填され、この方形ユニットを成す本体或は蓋体のメッシュは内部の土壌を通過しない大きさとされているため、内部の土壌が外方に漏れ出ることがなく、土壌の飛散の問題を解消することができる。なお、植栽ポット中の根部の周りの土壌は僅かであって、植物が生長するに従って根部に付着する結果、強風で飛散するおそれは少なくなる。
【００２３】
さらに、本発明においては、方形ユニットの内部には土壌が充填されているため、従来の多孔質植栽基盤やマット状基盤に比べて保水の点で有利である。また、方形ユニットの内部に充填する土壌を軽量化することによって建築物への荷重の影響や施工の際の労力を軽減できる。
【００２４】
また、本発明において、方形ユニットの本体と蓋体との周縁に複数の突起が形成された構成にすると、本体或は蓋体の平面部側をコンクリート床等に設置したとき、床面との間に隙間ができ、本体或は蓋体の平面部のメッシュを通過して生え出た植物の根部が上記の隙間内で成長することとなって、根部がコンクリート床に進入するということがなく、従ってそのような根部の進入を防止するための防根シートが不要となる。
【００２５】
さらに、本発明において、多目的緑化盤の本体の平面部の所定箇所に切れ目を入れ、この切れ目に着脱式植栽ポットを挿入して固定状態にすることも可能であり、種々の形状の植栽ポットを挿着することが可能となる。例えば、着脱式植栽ポットは円柱体を斜めに押して変形させた形状にし、本体の切れ目に挿入して固定した多目的緑化盤を垂直壁面に固定することにより、植物の根部を下り勾配の状態で挿入することが可能となり、この植栽ポットに植え付けた植物は根元が曲がらず上方へ無理なく成長するため、垂直壁面における植栽にも適したものとなる。
【００２６】
また、本発明の多目的緑化盤に使用する土壌として、軽石とココダストを主成分とする圧縮固形体を混合してなる培土を調合して充填したことにより、土壌としての保水性或いは保肥性等を有し、均一な混合を行うことができる培土を得ることができる。また、このようなココダストを主成分とする圧縮固形体によれば、該圧縮固形体を多目的緑化盤のメッシュ又はスリットからこぼれ出ない径とする調整が容易となり、本発明の多目的緑化盤に使用する土壌として最適する培土となる。
【００２７】
さらに、この培土を充填した多目的緑化盤の上に人等が載って踏みつけた場合でも、内部に充填された培土が耐荷重性を発揮し、多目的緑化盤に大きな変形の生じない強度を保つことができる。さらに、多目的緑化盤に上記の培土を充填して運搬する際には、振動で軽石と圧縮固形体が分離することがなく運搬することができる等の利点を有する。
【００２８】
また、本発明の多目的緑化盤は、多数のスリットを形成した箱形の方形ユニットとすることも可能であり、この場合も、方形ユニットの内部に充填された土壌は、軽石とココダストを主成分とする圧縮固形体を混合してなる培土とすることにより、スリットからこぼれ難く、また上記のように方形ユニットを上方から踏みつけるような荷重に対して補強を成した構成とすることが可能となる。
【発明を実施するための最良の形態】
【００２９】
以下、本発明の実施例について図面を参照しながら説明する。
【実施例１】
【００３０】
本発明による多目的緑化盤１は、図1に示すように、メッシュ状に形成された本体２と蓋体３とに分離され、蓋体３を本体２に被せることによって、図2又は図3に示す方形ユニット４が形成される。
【００３１】
図１に示すように、夫々の本体２と蓋体３とは方形の箱形状に形成され、本体２の側面が蓋体３の側面よりも高く形成され、蓋体３を本体２の開口側から閉じることによって方形ユニット４の立方形状に形成される。
【００３２】
また、夫々の本体２と蓋体３とは、ABS樹脂またはPP（ポリプロピレン）等の合成樹脂材料により形成され、蓋体３と本体２とには、約１〜３mm、好ましくは約２mmの目を有するメッシュ５が形成されている。ただし、蓋体３と本体２との夫々のコーナーや端部はメッシュ５が設けられずに枠体６とされ、夫々の箱形状の強度を補強するようにしている。また、メッシュ５の大きさは、図5に示すように、方形ユニット４の内部に充填した土壌７が外方へ漏れない程度の大きさを理想とするものである。
【００３３】
また、図１に示すように、蓋体３の平面部は上記のメッシュ５が施されただけの平面部３ａとされているが、図２に示すように、本体２の平面部２ａには所定数の植栽ポット１０、１０…が設けられている。各植栽ポット１０は、図５に示すように、本体２の天面を成す平面部２ａから遠ざかるに従って小径をなす底部を平面にした円錐形状とし、その最下底部は蓋体３の平面部３ａとの間に隙間１０ａを有し、該隙間にも土壌７が充填されるように形成されている。
【００３４】
なお、本実施例の各図においては、本体２の平面部２aに5個の植栽ポット１０が形成された構成としてあるが、これに限定する必要はなく、その個数、内径、深さ、形状等は植栽すべき植物の種類や根部の大きさ等によって設定されるべきものである。
【００３５】
図1、図４または図５に示すように、夫々の植栽ポット１０にはスリット１１又はメッシュ１２が設けられている。その一例として、植栽ポット１０の周部には縦状のスリット１１を複数設け、底部にはメッシュ１２を設ける。これらのスリット１１又はメッシュ１２は、蓋体３又は本体２に形成したメッシュ５よりも大径にするのが好ましく、これによって植栽ポット１０に植えつけた植物１３の根部１４をこれらのスリット１１又はメッシュ１２を通過して方形ユニット４内の土壌７に根付かせることができる。
【００３６】
さらに、図１〜図３に示すように、本実施例の多目的緑化盤１においては、方形ユニット４の本体２と蓋体３との周縁に複数の突起８、８…が形成されている。その突起８を設ける位置としてはコーナーやコーナー間であり、いずれの突起８も、本体２或は蓋体３の平面部２ａ、３ａから立ち上がる方向に突出した形状とする。このような突起８を設けたことにより、図７または図８に示すように、本体２或は蓋体３の平面部２ａ、３ａ側をコンクリート床面１５に設置したとき、本体２或は蓋体３の平面部２a、３aと床面１５との間に隙間１６ができ、本体２或は蓋体３の平面部２ａ、３ａのメッシュ５を通過して生え出た植物１３の根部１４が上記の隙間１６内で成長することとなってコンクリート床面１５の内部に進入することがなく、従ってそのような根部１４の進入を防止するための防根シートが不要となる。
【００３７】
上記のように構成された本体２と蓋体３とからなる方形ユニット４に土壌７を充填するには、図６(a)に示すように、本体２の突起８を下方にして開口側を上方にし、この状態で、図６(b)に示すように、その内部に土壌７を充填する。このとき、本体２の植栽ポット１０は上方に向けて突出された状態となり、土壌７は夫々の植栽ポット１０を覆うように充填される。この土壌７としては、例えば、多孔質固形物、軽石、難分解性繊維、細粒土、肥料分等を混合したものを使用する。こうして本体２の内部に土壌７を充填した後、図６(c)に示すように、本体２の開口側に蓋体３を被せて閉じた状態にする。
【００３８】
なお、このように本体２の開口側に蓋体３を被せた状態において、この蓋体３を本体２側に固定するようにしてもよい。そのための用具としては、割ピンや各種の結束具を使用するようにしても良い。
【実施例２】
【００３９】
上記のように構成された本実施例の多目的緑化盤１による緑化方法において、図７に示すように、植物１３として草花１９または樹木２０を植栽する場合は、コンクリート床面１５に本体２の植栽ポット１０側を上方にして複数の多目的緑化盤１を並置した状態で、夫々の植栽ポット１０に草花１９または樹木２０の根部１４を挿入する。なお、このように植栽ポット１０側を上方に向けると、蓋体３の平面部３ａが下方を向き、コンクリート床面１５側に対向する。
【００４０】
ところで、蓋体３の平面部３ａにも周縁に突起８が形成されているため、この突起８の高さだけ、コンクリート床面１５と蓋体３の平面部３ａとの間に隙間１６ができ、蓋体３の平面部３ａに形成されているメッシュ５を通過して生え出た根部１４が上記の隙間１６内で成長するため、コンクリート床面１５からその内部に進入することがなく、従ってそのような根部１４の進入を防止するための防根シートが不要となる。
【００４１】
また、図８に示すように、植物１３として芝生等の地被植物２１を植栽する場合は、コンクリート床面１５に蓋体３の平面部ａを上方にして複数の多目的緑化盤１を並置した状態で、夫々の蓋体３の平面部３ａの上部に芝生等の地被植物２１を植生してある植生マット２１ａを載置すると、その植物が生長することによって根部１４が蓋体３のメッシュ５から内部の土壌７に進入して、植生マット２１ａと多目的緑化盤１とが結合された状態になる。
【実施例３】
【００４２】
図９に示すものは、上記の図７に示した草花１９と樹木２０を植栽した多目的緑化盤１と、上記の図８に示した芝生等の地被植物２１を植栽した多目的緑化盤１とを多様に配置したものであり、複数の多目的緑化盤１、１…の植栽ポット１０側を上方に向けたり、蓋体３の平面部３ａ側を上方に向けたりすることの組合せと、その周囲をブロック等の枠部材２２で取り囲んで固定状態にすることにより、容易に屋上庭園を施工することができる。
【００４３】
また、図１０に示すものは、図８に示した芝生等の地被植物２１の植栽を土手や勾配屋根等の傾斜面２３に利用したもので、例えばＬ型金具２４を用いて複数に並置した多目的緑化盤１、１…の周囲を固定し、各多目的緑化盤１が傾斜面２３を滑り落ちないようにする。また、図１１に示すように、傾斜面２３の下部に支持枠体２５を設け、その上方に傾斜面２３に沿って複数の多目的緑化盤１、１…を並置するだけでもよい。
【００４４】
いずれにしても、傾斜状況が緩やかであれば、図１１に示すように、植栽ポット１０側を上方に向けて草花１９や樹木２０を植栽することが可能である。なお、このように傾斜面２３において草花１９や樹木２０を植栽する場合、本体２の内部に土壌７を充填してからその上方に保水マット２６を被せて蓋体３をし、次いで植栽ポット１０側を上方に向けることによって保水マット２６は、図１１に示すように土壌７の下部に位置することとなる。こうすることによって、傾斜面２３で流下して下方に溜まりやすい水分を各多目的緑化盤１、１…の保水マット２６に保留して、各多目的緑化盤１における植栽に供することができる。
【実施例４】
【００４５】
さらに、本発明によれば、図１２に示すように、コンクリート等の垂直壁面２７にも施工することが可能である。この場合も、例えば堅固なＬ型金具２４を用いて複数に並置した多目的緑化盤１、１…を垂直壁面２７に固定する。また、このように垂直壁面２７に多目的緑化盤１を固定して芝生等の地被植物２１を植栽する場合は、植栽マットを蓋体３の平坦面３ａに何らかの止具によって固定するのが好ましい。また、このように垂直壁面２７に多目的緑化盤１を固定して使用する場合、上記した図１１のように各多目的緑化盤１の底部に保水マット２６を敷設して、各多目的緑化盤１ごとに保水を可能とした構成とするのが好ましい。
【００４６】
なお、図１２に示す垂直壁面２７に草花や樹木の植栽をすることも可能であり、この場合、垂直壁面２７に例えばＬ型金具２４を用いて固定した複数の多目的緑化盤１、１…の植栽ポット側を表に向けて、図１１に示すように、夫々の植栽ポット内に草花やツタ等のつる植物や樹木等を植え付けるようにしてもよい。この場合においても、図１１のように各多目的緑化盤１の底部に保水マット２６を敷設して、各多目的緑化盤１ごとに保水を可能とするのが好ましい。
【実施例５】
【００４７】
本実施例は、図１３に示すように、上記の多目的緑化盤１の本体２の平面部２ａにおいて植栽ポットを設けるべき箇所に切れ目２８を入れ、この切れ目２８に着脱式植栽ポット２９を挿入して固定状態にしたものである。このような構成についてより詳細に述べると、多目的緑化盤１は本体２と蓋体３とから成り、本体２の平面部２ａにおいて植栽ポットを設けるべき１箇所または複数箇所に切れ目２８が形成されているほかは、上記実施例の構成と同様である。
【００４８】
即ち、本体２の平面部２ａは全面がメッシュ状に形成され、この平面部２ａの所定個所に着脱式植栽ポット２９を挿入する切れ目２８が設けられている。この着脱式植栽ポット２９は底部を平面にした円錐体、円柱体或いはこれらの形状を斜めにしたような形状（図１４参照）から成り、上記のように周部にスリット１１を設け、底部にメッシュ１２（図１５参照）を設けるようにしてもよい。また、切れ目２８は植栽ポット２９の形状に応じてプレス加工等によって形成し、例えば中心から放射状に切れ目２８を設けるようにする。
【００４９】
このような構成により、図１３に示すように、多目的緑化盤１の本体２の平面部２ａに設けられた切れ目２８に着脱式植栽ポット２９を順次挿入して固定した後、図７に示したように本体２を上方にして、草花または樹木を植栽したり、図８に示したように蓋体３を上方にして、芝生等の地被植物を植栽したりすることができる。
【００５０】
また、図１４に示すように、着脱式植栽ポット２９は円柱体を斜めに押して変形させた形状にして垂直壁面２７の植栽に適合させることができる。即ち、この斜形状の着脱式植栽ポット２９は、上端の開口縁２９ａから斜め下方に植物の根部を入れる周部２９ｂを形成すると共に該周部２９ｂにスリット１１を形成し、さらにその底部を、メッシュ状（ただし、スリット状でもよい）に形成したものである。
【００５１】
そこで、図１５に示すように、本体２の切れ目２８に斜形状の着脱式植栽ポット２９を挿入して固定すると共に、内部に土壌７を充填した多目的緑化盤１をコンクリート等の垂直壁面２７に例えばＬ型金具２４で固定する。なお、この場合においても、図１５に示すように多目的緑化盤１の底部に保水マット２６を敷設して、各多目的緑化盤１ごとに保水性を確保するのが好ましい。
【００５２】
上記の構成により、斜形状の着脱式植栽ポット２９において植物１３の根部を下り勾配の状態で挿入することができるため、斜形状のこの着脱式植栽ポット２９に植え付けた植物１３は根元が曲がらず上方へ無理なく成長するため、垂直壁面２７における植栽にも適合させることができ、草花や樹木のほか、つる植物の植栽にも適用可能である。
【００５３】
ここで、上記のいずれの実施例においても好適する土壌について述べる。本発明による多目的緑化盤は、上記のように屋上庭園等に利用する場合、多目的緑化盤をコンクリート床面に設置するものであり、このような施工時や施工後に、人等がこの多目的緑化盤の上を歩いたりするような使用形態が考えられる。従って、多目的緑化盤は、上方からの荷重にも変形しない強度を有することが望ましいが、上記の方形ユニットの平面部の中央付近において、人等の重量に耐え得る強度を期待するのは無理がある。
【００５４】
このため、多目的緑化盤の内部に軽石等による土壌を充填し、この内部の土壌によって、多目的緑化盤の耐荷重性を補う必要がある。ところで、軽石を方形ユニット内に充填した場合、ある程度の外径を有する軽石は、メッシュ又はスリットからこぼれ出るおそれがない。しかしながら、軽石だけでは、土壌としての保水性或いは保肥性等の役割を果たすことができないため、ココダストに、ベントナイト、ココヤシ繊維、発泡樹脂、肥料等を混入して圧縮し、これをメッシュ又はスリットからこぼれ出ない外径を有するように、粒状、ブリケット状、ペレット状等に形成した圧縮固形体とする。なお、肥料は圧縮固形体に混合せず、軽石と圧縮固形体の混合時に混ぜるようにしてもよい。
【００５５】
上記のように、培土を構成する軽石とココダストを主成分とする圧縮固形体とは、いずれも方形ユニットに形成されたメッシュ又はスリットからこぼれ出ない外径とする。このようなことを考慮して、圧縮固形体の外径は、概ね５〜２０mmとするのが好ましい。また、本発明において、軽石に上記の圧縮固形体を混入する場合の混合比は、圧縮固形体が、軽石を含む全体の１０〜５０体積％とするのがよい。
【００５６】
以上のように軽石とココダストを主成分とする圧縮固形体とを混合する際は、均一な混合が可能となる。また、方形ユニットに充填して多目的緑化盤として使用する場合、人等がその上に載って踏みつけた場合でも、大きな変形の生じない強度を保つことができる。さらに、上記の軽石と圧縮固形体の混合物を方形ユニットに充填して運搬する際には、振動で軽石と圧縮固形体が分離することがなく運搬することができる。
【実施例６】
【００５７】
本実施例の多目的緑化盤１は、図１６または図１７に示すように、多数のスリット１１、１１…を形成した平面部と側面部とを有する箱形に形成された本体２と蓋体３とを結合して成る方形ユニット４を構成したものである。即ち、図１６の方形ユニット４は本体２の平面部２ａにスリット１１を同方向に形成し、また側面部２ｂは縦方向のスリット１１を同方向に配列してある。蓋体３の平面部は、図１６には見えないが、本体２の平面部２ａと同様に同方向のスリット１１が形成され、また蓋体３の側面部３ｂは縦方向のスリット１１を同方向に配列してある。
【００５８】
さらに、図１７に示す方形ユニット４は、本体２の平面部２aと蓋体３の平面部（蓋体３の平面部は図に見えていない）に異方向の多数のスリット１１が形成され、本体２と蓋体３の側部は共に縦状のスリット１１が同方向に形成されている。なお、図１７の本体２の平面部２ａのスリット１１は、スリット１１を異方向に配列した一例を示すものであり、複数の同方向のスリット１１、１１…の集合を互いに直角方向に配列してなるものである。
【００５９】
本実施例の多目的緑化盤１のその他の構成は、図１に示すものと同様であり、方形ユニット４の内部に土壌が充填され、また本体２の平面部２ａにスリット１１又はメッシュを有する所定数の植栽ポット１０、１０…が設けられている。
【００６０】
このような多目的緑化盤の使用方法は、実施例１と同様であり、不図示であるが、方形ユニット４の本体２の植栽ポット１０側を表に向けた状態で夫々の植ポット１０に草花又は樹木を植え（図７参照）、また蓋体３の平面部側を表に向けた状態で該平面部上にて芝生等の地被植物を植栽することができる（図８参照）。
【００６１】
上記のように方形ユニット４の本体２と蓋体３に形成したスリット１１は、一例として、２mm×３０mmの長方形を成す孔であり、これを２mmピッチで形成するものとする。
【００６２】
また、方形ユニット４の本体２と蓋体３とに、上記のような寸法の多数のスリット１１を形成した場合、このスリット１１或いは植栽ポット１０のメッシュからこぼれ出ない土壌として、実施例５で述べた軽石とココダストを主成分とする圧縮固形体を混合してなる培土を充填するのが好ましい。即ち、ココダストを主成分とする圧縮固形体とは、上記のように、ココダストに、ベントナイト、ココヤシ繊維、発泡樹脂、肥料等を混入して圧縮し、これをメッシュ又はスリットからこぼれ出ない外径を有するように、粒状、ブリケット状、ペレット状等に形成した圧縮固形体としたものである。
【００６３】
このような土壌を方形ユニット４内に充填することによって、スリット１１或いはメッシュからこぼれ難く、また方形ユニット４の平面部に上方から作用する荷重に対しても変形しないように補強することが可能となる。
【産業上の利用可能性】
【００６４】
本発明の多目的緑化盤及び緑化方法は、通常の平地へ適用することはもちろん可能であり、特に屋上等のコンクリート床、傾斜屋根、土手等の傾斜面さらには垂直壁面等に設けることによって、芝生等の被地植物、草花或いは樹木等による緑化を可能とし、これらの組合せによって多彩な屋上庭園を施工することができる。
【図面の簡単な説明】
【００６５】
【図１】本発明による多目的緑化盤の分解斜視図である。
【図２】本発明による多目的緑化盤の植栽ポット側を上にした斜視図である。
【図３】本発明による多目的緑化盤の平面部側を上にした斜視図である。
【図４】本発明による多目的緑化盤の植栽ポット側から見た上面図である。
【図５】図４のA−A矢視線断面図である。
【図６】(a)〜(c)は、本発明による多目的緑化盤の内部に土壌を充填する過程を示す組立図である。
【図７】本発明による多目的緑化盤の植栽ポット側を上方にして草花や樹木を植栽している状況を示す断面図である。
【図８】本発明による多目的緑化盤の平面部側を上方にして芝生等の被地植物を植栽している状況を示す断面図である。
【図９】本発明の多目的緑化盤を用いて芝生や草花や樹木を多彩に植栽した屋上庭園の例を示す斜視図である。
【図１０】本発明の多目的緑化盤を用いて斜面に芝生を植栽した例を示す斜視図である。
【図１１】本発明の多目的緑化盤を用いて斜面に草花を植栽した例を示す断面図である。
【図１２】本発明の多目的緑化盤を用いて垂直壁面に芝生を植栽した例を示す斜視図である。
【図１３】本発明の多目的緑化盤の植栽ポットを着脱式に構成した例を示す斜視図である。
【図１４】本発明において着脱式の植栽ポットの斜視図である。
【図１５】本発明の多目的緑化盤を垂直壁面に設けて植物を植栽するようにした例を示す斜視図である。
【図１６】本発明の多目的緑化盤の方形ユニットを多数のスリット（同方向のスリット）を設けて構成した実施例を示す斜視図である。
【図１７】本発明の多目的緑化盤の方形ユニットを多数のスリット（異方向のスリット）を設けて構成した実施例を示す斜視図である。
【図１８】(a)〜(c)は、従来の植栽技術を示す図である。
【符号の説明】
【００６６】
１…多目的緑化盤
２…本体
２ａ…平面部
２ｂ…側面部
３…蓋体
３ａ…平面部
３ｂ…側面部
４…方形ユニット
５…メッシュ
６…枠体
７…土壌
８…突起
１０…植栽ポット
１１…スリット
１２…メッシュ
１３…植物
１４…根部
１５…コンクリート床面
１６…隙間
１９…草花
２０…樹木
２１…芝生等の地被植物
２１ａ…植生マット
２２…枠部材
２３…傾斜面
２４…Ｌ型金具
２５…支持枠体
２６…保水マット
２７…垂直壁面
２８…切れ目
２９…着脱式植栽ポット
【図１】
2005176829.tif 000003
【図２】
2005176829.tif 000004
【図３】
2005176829.tif 000005
【図４】
2005176829.tif 000006
【図５】
2005176829.tif 000007
【図６】
2005176829.tif 000008
【図７】
2005176829.tif 000009
【図８】
2005176829.tif 000010
【図９】
2005176829.tif 000011
【図１０】
2005176829.tif 000012
【図１１】
2005176829.tif 000013
【図１２】
2005176829.tif 000014
【図１３】
2005176829.tif 000015
【図１４】
2005176829.tif 000016
【図１５】
2005176829.tif 000017
【図１６】
2005176829.tif 000018
【図１７】
2005176829.tif 000019
【図１８】
2005176829.tif 000020